(57)【要約】【課題】  頂部に設けた通気孔の通気を妨げることなく、該通気孔からの雨滴侵入を防止できる快適な着用感を有するキャップ型帽子を提供する。【解決手段】  頂部に天ボタンを装着するための円形孔と該円形孔の近傍に穿設された複数の通気孔とが形成された帽子本体と、前記帽子本体の頂部に前記複数の通気孔の上部を覆うように載置され、かつ前記通気孔の通気を妨げることなく前記通気孔からの雨滴の侵入を防止する構造を持つ天ボタンと、前記帽子本体の内側から該帽子本体の頂部に形成された円形孔を介して前記天ボタンを帽子本体に載置・固着するための有頭ピンとを備え、前記天ボタンが、その下面中心に備えた前記有頭ピンのピン部を嵌挿する嵌入孔に、前記帽子本体頂部の円形孔を介して帽子本体内側から嵌挿される有頭ピンとで前記帽子本体頂部の布地に強固に挟着することによる。【選択図】  図１
2006249584.tif 000002
【特許請求の範囲】
【請求項１】
キャップ型帽子において、
その頂部に天ボタン２を装着するための円形孔１ｂと該円形孔１ｂの近傍に穿設された複数の通気孔１ａとが形成されてなる帽子本体１と、
前記帽子本体１の頂部に前記複数の通気孔１ａの上部を覆うように載置され、かつ前記通気孔１ａの通気を妨げることなく前記通気孔１ａからの雨滴の侵入を防止する構造を備えた円板状または扁平な半球状の天ボタン２と、
前記帽子本体１の内側から、該帽子本体１の頂部に形成された円形孔１ｂを介して前記天ボタン２を帽子本体に載置・固着するための有頭ピン３と
により構成されてなることを特徴とするキャップ型帽子。
【請求項２】
前記天ボタン２が、その下面中心に前記有頭ピン３のピン部３ａを嵌挿する嵌入孔２ｃを備えてなり、前記帽子本体１頂部の円形孔１ｂを介して帽子本体１内側から前記嵌入孔２ｃに嵌挿される有頭ピン３とによって、前記帽子本体１頂部の布地に強固に挟着されてなることを特徴とする請求項１に記載のキャップ型帽子。
【請求項３】
前記帽子本体１の側面に、該帽子本体１の頂部に形成された前記複数の通気孔１ａの通気効果を高めるための複数の補助通気孔１ｃを備えてなることを特徴とする請求項１又は２に記載のキャップ型帽子。
【発明の詳細な説明】
【技術分野】
【０００１】
本願発明は、キャップ型帽子頂部の換気の改善に関する。
【背景技術】
【０００２】
キャップ型帽子の多くは、帽子本体の側面に複数の通気孔が円周上に一定間隔で配置されており、この通気孔を介して帽子内の空気の換気を行い帽子内の温度や湿気が必要以上に高まるのを防止している。しかし、暖まった空気や湿気は帽子内の頂部に溜まりやすく、側面の通気孔では十分な効果を発揮し得ないという問題があった。
そこで、実用新案登録第３１０２０３９号公報には、ドーム状の帽子本体の頂部に通気孔を形成し、この通気孔を介して前記帽子内部と外部とを連通させた帽子と、前記ドーム状の帽子本体の頂部に通気孔を、帽子本体の斜面部に補助通気孔を形成し、前記通気孔及び前記補助通気孔を介して前記帽子内部と外部を連通させるとともに、前記通気孔を前記補助通気孔より大径にしてなる帽子とでこの問題を解決する考案が開示されている。
また、実用新案登録第３１０２０３９号公報には、帽子の中にスペーサーを設け、帽子と頭部の間に空隙を作るとともに帽子の天井部に天井窓、後部に空気窓を設け、着用中の帽子内頭部の通風を可能にした帽子によって解決する考案が開示されている。
【特許文献１】実用新案登録第３１０２０３９号公報
【特許文献２】実用新案登録第３０３１７６４号公報
【発明の開示】
【発明が解決しようとする課題】
【０００３】
上記２つの考案は、いずれも帽子の上部に通気孔、あるいは天井窓を設けて帽子内の頂部に溜まりやすい暖まった空気や湿気を換気している。しかし、上記２つの考案の通気孔あるいは天井窓はいずれも開放されたままであり、雨天時にその通気孔あるいは天井窓から帽子内に雨滴が侵入するおそれがある。
本願発明の課題は、キャップ型帽子の頂部に設けた通気孔の通気を妨げることなく、該通気孔からの雨滴侵入を防止できる快適な着用感を有するキャップ型帽子を提供することにある。
【課題を解決するための手段】
【０００４】
本願発明者は、上記課題を下記の手段により解決した。
（１）キャップ型帽子において、
その頂部に天ボタンを装着するための円形孔と該円形孔の近傍に穿設された複数の通気孔とが形成されてなる帽子本体と、
前記帽子本体の頂部に前記複数の通気孔の上部を覆うように載置され、かつ前記通気孔の通気を妨げることなく前記通気孔からの雨滴の侵入を防止する構造を備えた円板状または扁平な半球状の天ボタンと、
前記帽子本体の内側から、該帽子本体の頂部に形成された円形孔を介して前記天ボタンを帽子本体に載置・固着するための有頭ピンと
により構成されてなることを特徴とするキャップ型帽子。
（２）前記天ボタンが、その下面中心に前記有頭ピンのピン先を嵌挿する嵌入孔を備えてなり、前記帽子本体頂部の円形孔を介して帽子本体内側から前記嵌入孔に嵌挿される有頭ピンとによって、前記帽子本体頂部の布地に強固に挟着されてなることを特徴とする前項（１）に記載のキャップ型帽子。
（３）前記帽子本体の側面に、該帽子本体の頂部に形成された前記複数の通気孔の通気効果を高めるための複数の補助通気孔を備えてなることを特徴とする前項（１）又は（２）に記載のキャップ型帽子。
【発明の効果】
【０００５】
本願発明により下記のような作用効果が発揮できる。
（ア）キャップ型帽子頂部に天ボタンを装着するための円形孔近傍に穿設された複数の通気孔と、前記複数の通気孔の上部に通気を妨げないように覆った天ボタンとによって、帽子内頂部の換気が維持されるとともに、通気口からの雨滴の侵入も防止でき、快適な着用感を有するキャップ型帽子が提供できる。
（イ）天ボタンが、その下面中心に前記有頭ピンのピン部を嵌挿する嵌入孔を備えてなり、前記帽子本体頂部の円形孔を介して帽子本体内側から前記嵌入孔に嵌挿される有頭ピンとによって、容易に前記帽子本体頂部の布地に挟着でき、かつ帽子本体頂部の布地縫い合わせ部を前記笠部と有頭ピンとで強固に挟持するので、布地の縫い合わせ部がほつれる心配もなくなる。
（ウ）また帽子の側面に設けた補助通気孔によって帽子内の暖まった空気が帽子頂部の通気孔から排出されるとともに外部の空気が前記補助通気孔から帽子内に供給されるので、帽子内の換気が効果的に促進される。
【発明を実施するための最良の形態】
【０００６】
本願発明の実施の形態を実施例の図に基づいて説明する。
図１は本願発明のキャップ型帽子実施例の斜視図、図２は本願発明実施例の構成を説明する斜視図であり、図３は帽子頂部の組み立て構造図［（ａ）天ボタンの横断面図、（ｂ）天ボタンの下面図、（ｃ）帽子頂部の横断面図、（ｄ）有頭ピンの横断面図］、図４は他の実施例の帽子頂部の組み立て構造図［（ａ）天ボタンの横断面図、（ｂ）天ボタンの下面図、（ｃ）帽子頂部の横断面図、（ｄ）有頭ピンの横断面図］である。
図において１は帽子本体、１ａは通気孔、１ｂは円形孔、１ｃは補助通気孔、２は天ボタン、２ａは笠部、２ｂは脚部、２ｃは嵌入孔、２ｄは馬蹄形切り欠き部、３は有頭ピン、３ａはピン部である。
【０００７】
本願発明のキャップ型帽子は、図１及び図２に示すように、その頂部に天ボタン２を装着するための円形孔１ｂと該円形孔１ｂの近傍に穿設された複数の通気孔１ａとが形成されてなる帽子本体１と、
前記帽子本体１の頂部に前記複数の通気孔１ａの上部を覆うように載置され、かつ前記通気孔１ａの通気を妨げることなく前記通気孔１ａからの雨滴の侵入を防止する構造を備えた円板状または扁平な半球状の天ボタン２と、
前記帽子本体１の内側から、該帽子本体１の頂部に形成された円形孔１ｂを介して前記天ボタン２を帽子本体に載置・固着するための有頭ピン３とを備えている。
そして、前記天ボタン２が、その下面中心に前記有頭ピン３のピン先を嵌挿する嵌入孔２ｃを備え、前記帽子本体１頂部の円形孔１ｂを介して帽子本体１内側から前記嵌入孔２ｃに嵌挿される有頭ピン３とによって、前記帽子本体１頂部の布地に強固に挟着されている。
また、帽子本体１の頂部に形成された複数の通気孔１ａの通気効果を高めるために、帽子本体１の側面に複数の補助通気孔１ｃを備えてるのも好ましい。
【０００８】
前記天ボタン２が前記通気孔１ａの通気を妨げず、かつ前記通気孔１ａからの雨滴の侵入を防止できる構造の実施例としては、次のようなものがある。
【実施例１】
【０００９】
天ボタン３の第１の実施例は、図３（ａ）の横断面図、及び図３（ｂ）の下面図に見られるように、通気孔１ａの上部を覆う円板状又は扁平な半球状の笠部２ａと、その下面中央に垂設され、その中央に前記嵌入孔２ｃを備えた円筒状の脚部２ｂとで構成されたものである。
そして、図３（ｃ）に示すように、帽子本体１の頂部に形成された円形孔１ｂに、帽子本体１の内側から図３（ｄ）に示す有頭ピン３のピン部３ａを挿通し、帽子本体１の外部に突出した前記有頭ピン３のピン部３ａに、前記天ボタン２の脚部２ｂを被嵌し、前記天ボタン２の脚部２ｂの端面と前記有頭ピン３の頭部裏面とで帽子本体１を挟むことによって天ボタン２を帽子本体１に固着している。
天ボタン２の外径は帽子本体１に形成された複数の通気孔１ａの上部を覆う大きさ以上であればよく、また脚部２ｂの外径は前記円形孔１ｂよりは大きく、通気孔に内接する円の径よりも小さいものであればよい。
【実施例２】
【００１０】
天ボタン２の第２の実施例は、図４（ａ）の横断面図、及び図４（ｂ）の下面図に見られるように、通気孔１ａの上部を覆う円板状又は扁平な半球状の笠部２ａの下面が前記通気孔１ａを塞ぐ部分に馬蹄形の切り欠き部２ｄを、また下面中央に図４（ｄ）に見られる有頭ピン３を嵌挿する嵌入孔２ｃを備えたものである。
そして、図４（ｃ）に示すように、帽子本体１の頂部に形成された円形孔１ｂに、帽子本体１の内側から図４（ｄ）に示す有頭ピン３のピン部３ａを挿通し、帽子本体１の外部に突出した前記有頭ピン３のピン部３ａに、前記天ボタン２を被嵌し、前記天ボタン２の下面と前記有頭ピン３の頭部裏面とで帽子本体１を挟むことによって天ボタン２を帽子本体１に固着している。なおこの際、本実施例の天ボタン２は、前記通気孔１ａの通気を妨げることのないよう天ボタン２の笠部２ａ下面に備えた馬蹄形の切り欠き部２ｄが帽子本体１の通気孔１ａの上部に必ず位置するように載置される。
また前記馬蹄形の切り欠き部２ｄの幅、高さ、奥行きは、通気孔の大きさ、位置等によって任意に選択されてよい。
【００１１】
前記天ボタン２及び有頭ピン３は、樹脂製であることが好ましく、また、樹脂製天ボタン２の笠部２ａには帽子本体１の共布を被覆または貼着したものであってもよい。
【産業上の利用可能性】
【００１２】
本願発明の帽子は、帽子の内部に滞留する暖まった空気や湿気が帽子本体頂部の通気孔から換気し、かつ雨天時に前記通気孔からの雨滴の侵入も防止し、着用者に快適感をもたらすので、特にスポーツ用キャップ、例えばゴルフキャップや野球帽などとして使用できる。
【図面の簡単な説明】
【００１３】
【図１】本願発明のキャップ型帽子実施例の斜視図
【図２】本願発明実施例の構成を説明する斜視図
【図３】帽子頂部の組み立て構造図（ａ）天ボタンの横断面図（ｂ）天ボタンの下面図（ｃ）帽子頂部の横断面図（ｄ）有頭ピンの横断面図
【図４】他の実施例の帽子頂部の組み立て構造図（ａ）天ボタンの横断面図（ｂ）天ボタンの下面図（ｃ）帽子頂部の横断面図（ｄ）有頭ピンの横断面図
【符号の説明】
【００１４】
１：帽子本体
１ａ：通気孔
１ｂ：円形孔
１ｃ：補助通気孔
２：天ボタン
２ａ：笠部
２ｂ：脚部
２ｃ：嵌入孔孔
２ｄ：馬蹄形切り欠き部
３：有頭ピン
３ａ：ピン部
【図１】
2006249584.tif 000003
【図２】
2006249584.tif 000004
【図３】
2006249584.tif 000005
【図４】
2006249584.tif 000006